(57)【要約】【課題】より適切な質量値の分銅を用いて感度係数を校正することができる電子天秤を提供する。【解決手段】過去の計量時に算出された試料の質量値を計量履歴記憶部３２に複数記憶しておき、それらの質量値に基づいて、感度係数を校正する際の分銅の質量値を分銅値決定部２５が決定し、その分銅の質量値を分銅値報知部２６が報知する。これにより、例えば過去の計量時に頻繁に計量を行っている質量値の範囲を特定し、その範囲内で決定した分銅の質量値を報知することが可能になる。この場合、ユーザは、報知された質量値の分銅を秤量皿１１上に載置して計量するだけで、頻繁に計量を行っている質量値の範囲内にある分銅を用いて、感度係数を校正することができる。したがって、より適切な質量値の分銅を用いて感度係数を校正することができる。【選択図】  図１
0003187757.tif 000002
【実用新案登録請求の範囲】
【請求項１】
秤量皿上に載置される被計量物を計量するための計量部と、
前記計量部により計量された試料の計量値及び感度係数に基づいて、試料の質量値を算出する質量値算出部と、
既知の質量値を有する分銅を前記秤量皿上に載置することにより前記計量部で得られた分銅の計量値に基づいて、前記感度係数を校正する感度係数校正部と、
過去の計量時に前記質量値算出処理部により算出された試料の質量値を複数記憶しておくための計量履歴記憶部と、
前記計量履歴記憶部に記憶されている複数の質量値に基づいて、前記感度係数を校正する際の分銅の質量値を決定する分銅値決定部と、
前記分銅値決定部により決定された分銅の質量値を報知する分銅値報知部とを備えたことを特徴とする電子天秤。
【請求項２】
試料の計量中に、前記質量値算出部により算出される試料の質量値を確定するために操作される確定操作部をさらに備え、
前記計量履歴記憶部には、前記確定操作部の操作により確定された試料の質量値が記憶されることを特徴とする請求項１に記載の電子天秤。
【請求項３】
試料の計量中に、前記質量値算出部により算出される試料の質量値の変動が所定範囲内に安定したことを検知する安定検知部をさらに備え、
前記計量履歴記憶部には、前記安定検知部により安定したと検知されたときの試料の質量値が記憶されることを特徴とする請求項１に記載の電子天秤。
【請求項４】
使用可能な分銅ごとの質量値を予め記憶しておくための分銅値記憶部をさらに備え、
前記分銅値決定部は、前記分銅値記憶部に記憶されている分銅ごとの質量値に基づいて、前記感度係数を校正する際の分銅の質量値を決定することを特徴とする請求項１〜３のいずれかに記載の電子天秤。
【請求項５】
前記感度係数校正部は、前記分銅値決定部により決定された質量値の分銅を前記秤量皿上に載置することにより前記計量部で得られた計量値と、無負荷状態において前記計量部で得られた計量値とに基づいて、前記感度係数を校正することを特徴とする請求項１〜４のいずれかに記載の電子天秤。
【請求項６】
前記感度係数校正部は、前記分銅値決定部により決定された質量値の分銅を前記秤量皿上に載置することにより前記計量部で得られた計量値と、使用可能な分銅の中で最大質量値の分銅を前記秤量皿上に載置することにより前記計量部で得られた計量値とに基づいて、前記感度係数を校正することを特徴とする請求項１〜５のいずれかに記載の電子天秤。
【考案の詳細な説明】
【技術分野】
【０００１】
本考案は、秤量皿上に載置される被計量物を計量するための電子天秤に関するものである。
【背景技術】
【０００２】
電子天秤の中には、既知の質量値を有する分銅を計量し、その計量値と実際の分銅の質量値との関係を感度係数として記憶しておくことができるようになっているものがある（例えば、下記特許文献１参照）。この種の電子天秤で試料を計量した場合には、得られた試料の計量値を上記感度係数で補正することにより、試料の質量値を測定することができる。測定された試料の質量値は、表示部にカウント値として表示される。
【０００３】
しかしながら、上記感度係数は、電子天秤の使用とともにずれる場合がある。また、電子天秤の使用環境（例えば温度など）の変化によっても、上記感度係数が適切な値ではなくなる場合がある。そこで、試料の質量値を精度よく測定するために、感度係数を校正する作業が定期的に行われている。
【０００４】
図６は、従来の感度係数を校正する際の態様について説明するための図である。一例として、電子天秤において計量可能な最大の質量値（最大秤量点）が６２０ｇである場合、まず、最大秤量点に近い質量値（例えば５００ｇ）の分銅を用いて計量が行われる。
【０００５】
具体的には、５００ｇの分銅（カウント値Ｗｒｅｆ＝５００００）を計量することにより得られた計量値を感度係数で補正することにより、補正後の分銅の質量値Ｆを得る。この分銅の質量値Ｆは、感度係数が適切な値であれば、５００ｇ（カウント値Ｆ＝５００００）となるはずであるが、感度係数がずれていたと仮定して、例えばカウント値Ｆ＝４９９９１であったとする。
【０００６】
また、秤量皿上に何も載置されていない状態（無負荷状態）で計量を行うことにより得られた計量値を感度係数で補正することにより、補正後の無負荷状態での質量値Ｚを得る。この無負荷状態の質量値Ｚは、感度係数が適切な値であれば、０ｇ（カウント値Ｚ＝０）となるはずであるが、感度係数がずれていたと仮定して、例えばカウント値Ｚ＝１であったとする。
【０００７】
この場合、感度係数がずれた状態のまま試料の質量値を測定すると、図６に線Ｌ１０１で示すように、表示値（カウント値）が実際の質量値とは異なる値となってしまう。そこで、このような場合には、例えば下記式により感度係数Ｋを算出し直すことにより、感度係数を校正することができる。
Ｋ＝（Ｆ−Ｚ）／Ｗｒｅｆ＝（４９９９１−１）／５００００＝０．９９９８
【０００８】
その後に試料の質量値を測定する際には、校正された感度係数Ｋを用いて、下記式により補正後の表示値ＷＧを算出し、表示部に表示させることができる。これにより、図６に線Ｌ１０２で示すように、表示値ＷＧを実際の質量値と一致させることができる。
ＷＧ＝（補正前の計量値）／Ｋ
【先行技術文献】
【特許文献】
【０００９】
【特許文献１】特開２０１２−７９７０号公報
【考案の概要】
【考案が解決しようとする課題】
【００１０】
上記のように、従来の感度係数の校正は、予め定められた質量値（上記の例では５００ｇ）の分銅を用いて行われていた。しかしながら、ユーザによっては、頻繁に計量を行う質量値の範囲内にある分銅を用いて、感度係数の校正を行いたい場合がある。そこで、任意の分銅を用いて感度係数を校正できるような構成とすることも考えられるが、複数のユーザが共通の電子天秤を使用する場合などには、頻繁に計量を行う質量値の範囲を各ユーザが全て把握しているとは限らず、適切な質量値の分銅を用いて感度係数を校正することができないおそれがある。
【００１１】
本考案は、上記実情に鑑みてなされたものであり、より適切な質量値の分銅を用いて感度係数を校正することができる電子天秤を提供することを目的とする。
【課題を解決するための手段】
【００１２】
本考案に係る電子天秤は、秤量皿上に載置される被計量物を計量するための計量部と、前記計量部により計量された試料の計量値及び感度係数に基づいて、試料の質量値を算出する質量値算出部と、既知の質量値を有する分銅を前記秤量皿上に載置することにより前記計量部で得られた分銅の計量値に基づいて、前記感度係数を校正する感度係数校正部と、過去の計量時に前記質量値算出処理部により算出された試料の質量値を複数記憶しておくための計量履歴記憶部と、前記計量履歴記憶部に記憶されている複数の質量値に基づいて、前記感度係数を校正する際の分銅の質量値を決定する分銅値決定部と、前記分銅値決定部により決定された分銅の質量値を報知する分銅値報知部とを備えたことを特徴とする。
【００１３】
このような構成によれば、過去の計量時に算出された試料の質量値を計量履歴記憶部に複数記憶しておき、それらの質量値に基づいて、感度係数を校正する際の分銅の質量値を決定することができる。これにより、例えば過去の計量時に頻繁に計量を行っている質量値の範囲を特定し、その範囲内で決定した分銅の質量値を報知することが可能になる。
【００１４】
この場合、ユーザは、報知された質量値の分銅を秤量皿上に載置して計量するだけで、頻繁に計量を行っている質量値の範囲内にある分銅を用いて、感度係数を校正することができる。したがって、より適切な質量値の分銅を用いて感度係数を校正することができる。
【００１５】
前記電子天秤は、試料の計量中に、前記質量値算出部により算出される試料の質量値を確定するために操作される確定操作部をさらに備えていてもよい。この場合、前記計量履歴記憶部には、前記確定操作部の操作により確定された試料の質量値が記憶されてもよい。
【００１６】
このような構成によれば、確定操作部が操作されることにより試料の質量値が確定する度に、確定した質量値を計量履歴記憶部に記憶しておき、それらの質量値に基づいて、感度係数を校正する際の分銅の質量値を決定することができる。この場合、ユーザの意思で確定した質量値に基づいて、感度係数を校正する際の分銅の質量値を決定することができ、ユーザにとって不本意な質量値が用いられることがないため、より適切な質量値の分銅を用いて感度係数を校正することができる。
【００１７】
前記電子天秤は、試料の計量中に、前記質量値算出部により算出される試料の質量値の変動が所定範囲内に安定したことを検知する安定検知部をさらに備えていてもよい。この場合、前記計量履歴記憶部には、前記安定検知部により安定したと検知されたときの試料の質量値が記憶されてもよい。
【００１８】
このような構成によれば、試料の質量値の変動が安定したと検知される度に、そのときの質量値を計量履歴記憶部に記憶しておき、それらの質量値に基づいて、感度係数を校正する際の分銅の質量値を決定することができる。この場合、ユーザが特別な操作を行うことなく自動で決定される質量値の分銅を用いて、感度係数を校正することができるため、より適切な質量値の分銅を用いて確実に感度係数を校正することができる。
【００１９】
前記電子天秤は、使用可能な分銅ごとの質量値を予め記憶しておくための分銅値記憶部をさらに備えていてもよい。この場合、前記分銅値決定部は、前記分銅値記憶部に記憶されている分銅ごとの質量値に基づいて、前記感度係数を校正する際の分銅の質量値を決定してもよい。
【００２０】
このような構成によれば、ユーザごとに使用可能な分銅が異なる場合に、使用可能な分銅ごとの質量値を予め分銅値記憶部に記憶しておくことにより、使用可能な分銅の質量値の範囲内で、感度係数を校正する際の分銅の質量値を決定することができる。したがって、ユーザが使用可能な分銅を用いて確実に感度係数を校正することができる。
【００２１】
前記感度係数校正部は、前記分銅値決定部により決定された質量値の分銅を前記秤量皿上に載置することにより前記計量部で得られた計量値と、無負荷状態において前記計量部で得られた計量値とに基づいて、前記感度係数を校正してもよい。
【００２２】
このような構成によれば、分銅値決定部により決定された質量値の分銅の計量値と無負荷状態における計量値との間における感度係数を校正することができる。これにより、ユーザが頻繁に計量を行っている質量値を含む最低限必要な範囲内において、感度係数を適切な値に校正し、試料の質量値を精度よく測定することができる。
【００２３】
前記感度係数校正部は、前記分銅値決定部により決定された質量値の分銅を前記秤量皿上に載置することにより前記計量部で得られた計量値と、使用可能な分銅の中で最大質量値の分銅を前記秤量皿上に載置することにより前記計量部で得られた計量値とに基づいて、前記感度係数を校正してもよい。
【００２４】
このような構成によれば、分銅値決定部により決定された質量値の分銅の計量値と使用可能な最大質量値の分銅の計量値との間における感度係数を校正することができる。これにより、ユーザが頻繁に計量を行っている質量値を超えて測定が行われる場合であっても、適切な値に校正された感度係数を用いて、試料の質量値を精度よく測定することができる。
【考案の効果】
【００２５】
本考案によれば、ユーザは、報知された質量値の分銅を秤量皿上に載置して計量するだけで、より適切な質量値の分銅を用いて感度係数を校正することができる。
【図面の簡単な説明】
【００２６】
【図１】本考案の一実施形態に係る電子天秤の電気的構成を示したブロック図である。
【図２】図１の電子天秤において感度係数を校正するための制御部による処理の一例を示したフローチャートである。
【図３】図１の電子天秤において感度係数を校正する際の態様について説明するための図である。
【図４】本考案の別の実施形態に係る電子天秤の電気的構成を示したブロック図である。
【図５】図４の電子天秤において感度係数を校正するための制御部による処理の一例を示したフローチャートである。
【図６】従来の感度係数を校正する際の態様について説明するための図である。
【考案を実施するための形態】
【００２７】
図１は、本考案の一実施形態に係る電子天秤の電気的構成を示したブロック図である。本実施形態における電子天秤には、電磁力平衡機構を備えた電子天秤や、ロードセル式、音叉式、静電容量式などの電子天秤（電子秤ともいう。）をはじめ、被計量物の重量荷重を検出して電気信号を出力する秤量装置全般が含まれる。本実施形態において、電子天秤は、秤量皿１１上に載置される被計量物の荷重を検知する荷重検知部１の他、制御部２、記憶部３、表示部４及び操作部５などを備えている。
【００２８】
制御部２は、当該電子天秤の動作を制御するためのものであり、例えばＣＰＵ（Central Processing Unit）を含む構成である。制御部２は、ＣＰＵがプログラムを実行することにより、計量部２１、質量値算出部２２、感度係数校正部２３、出力処理部２４、分銅値決定部２５及び分銅値報知部２６などとして機能する。
【００２９】
記憶部３は、例えばＥＥＰＲＯＭ（Electrically Erasable Programmable Read-Only Memory）などにより構成されており、その記憶領域に感度係数記憶部３１、計量履歴記憶部３２及び分銅値記憶部３３などが割り当てられている。表示部４は、例えば液晶表示器により構成されており、計量結果などの各種情報を表示することができる。操作部５は、例えば複数の操作キーにより構成されており、ユーザは、操作部５を操作することにより電子天秤の動作に関する指示を行うことができる。
【００３０】
計量部２１は、荷重検知部１からの検知信号に基づいて、秤量皿１１に載置される被計量物を計量する。このとき得られる計量値は、通常、被計量物の実際の質量値とは異なる値であり、質量値算出部２２が感度係数を用いて計量値を補正することにより、被計量物の質量値を算出することができる。
【００３１】
しかし、感度係数は適切な値からずれる場合があるため、日常点検において定期的に校正することができるようになっている。感度係数を校正する際には、既知の質量値を有する分銅を秤量皿１１上に載置し、計量部２１で得られた分銅の計量値に基づいて、感度係数校正部２３が感度係数を校正することとなる。
【００３２】
感度係数校正部２３により校正された感度係数は、感度係数記憶部３１に記憶される。試料を計量する際には、質量値算出部２２が、計量部２１により計量される試料の計量値と、感度係数記憶部３１に記憶されている感度係数とに基づいて、試料の質量値を算出する。
【００３３】
出力処理部２４は、質量値算出部２２により算出された質量値を出力するための処理を行う。例えば、出力処理部２４は、質量値算出部２２により算出された質量値を表示部４に出力することにより、その質量値を表示部４に表示させることができる。また、操作部５に含まれるプリント指示部５１が操作された場合には、出力処理部２４が、当該電子天秤に接続されているプリンタ６に質量値を出力することにより、その質量値を計量結果として印刷することができる。
【００３４】
本実施形態では、試料の計量中にプリント指示部５１が操作された場合に、その操作により確定された試料の質量値が計量履歴記憶部３２に記憶されるようになっている。計量履歴記憶部３２には、プリント指示部５１が操作される度に質量値が記憶されることにより、複数の質量値が過去の計量時の履歴として記憶されることとなる。計量履歴記憶部３２には、最新の所定数の質量値が記憶され、古いデータから順に消去されるようになっていてもよい。
【００３５】
このとき、プリント指示部５１は、質量値算出部２２により算出される試料の質量値を確定するために操作される確定操作部を構成している。ただし、確定操作部はプリント指示部５１に限らず、例えば確定キーなどのような他の確定操作部の操作によって、質量値算出部２２により算出される試料の質量値が確定され、その質量値が計量履歴記憶部３２に記憶されるような構成であってもよい。
【００３６】
分銅値決定部２５は、感度係数を校正する際の分銅の質量値（分銅値）を決定する。本実施形態では、計量履歴記憶部３２に記憶されている複数の質量値に基づいて、分銅値決定部２５が分銅値を決定するようになっている。分銅値決定部２５により決定された分銅値は、分銅値報知部２６が出力処理部２４を介して表示部４に表示させることにより、ユーザに報知される。
【００３７】
具体的には、計量履歴記憶部３２に記憶されている複数の質量値から、過去の計量時に頻繁に計量を行っている質量値の範囲が特定され、その範囲内で決定された分銅の質量値が報知されるようになっている。過去の計量時に頻繁に計量を行っている質量値の範囲を特定する方法としては、種々の方法を用いることができるが、例えば計量可能な範囲内で質量値の範囲を複数に分割し、計量履歴記憶部３２に記憶されている質量値を各範囲に分類することにより、各範囲での計量回数をカウントする方法が考えられる。
【００３８】
この場合、計量回数が多い範囲を特定することにより、その範囲に対応する分銅値を、感度係数を校正する際の分銅値として決定することができる。決定される分銅値は、１つであってもよいし、複数であってもよい。例えば、計量回数が多い範囲から順に、所定数の範囲を特定するような構成とすれば、それらの各範囲に対応する複数の分銅値が、感度係数を校正する際の分銅値として決定されることとなる。
【００３９】
本実施形態では、ユーザは、報知された質量値（分銅値）の分銅を秤量皿１１上に載置して計量するだけで、頻繁に計量を行っている質量値の範囲内にある分銅を用いて、感度係数を校正することができる。したがって、より適切な質量値の分銅を用いて感度係数を校正することができる。
【００４０】
特に、本実施形態では、プリント指示部５１が操作されることにより試料の質量値が確定する度に、確定した質量値を計量履歴記憶部３２に記憶しておき、それらの質量値に基づいて、感度係数を校正する際の分銅の質量値を決定することができる。この場合、ユーザの意思で確定した質量値に基づいて、感度係数を校正する際の分銅の質量値を決定することができ、ユーザにとって不本意な質量値が用いられることがないため、より適切な質量値の分銅を用いて感度係数を校正することができる。
【００４１】
本実施形態において、分銅値決定部２５は、分銅値記憶部３３に記憶されている分銅ごとの質量値に基づいて、感度係数を校正する際の分銅の質量値を決定することができるようになっている。分銅値記憶部３３には、例えばユーザが操作部５を操作することにより、使用可能な分銅ごとの質量値を予め記憶しておくことができる。
【００４２】
これにより、ユーザごとに使用可能な分銅が異なる場合には、使用可能な分銅ごとの質量値を予め分銅値記憶部３３に記憶しておくことにより、使用可能な分銅の質量値の範囲内で、感度係数を校正する際の分銅の質量値を決定することができる。したがって、ユーザが使用可能な分銅を用いて確実に感度係数を校正することができる。
【００４３】
図２は、図１の電子天秤において感度係数を校正するための制御部２による処理の一例を示したフローチャートである。本実施形態に係る電子天秤を用いて試料の計量が行われる場合には、プリント指示部５１が操作されることによりプリント指示がある度に（ステップＳ１０１でＹｅｓ）、計量された試料の質量値が計量履歴記憶部３２に記憶される（ステップＳ１０２）。
【００４４】
そして、日常点検において定期的に感度係数を校正する場合には（ステップＳ１０３でＹｅｓ）、計量履歴記憶部３２に記憶されている複数の質量値に基づいて、感度係数を校正する際の分銅の質量値が決定され（ステップＳ１０４）、その分銅の質量値が表示部４に表示されることによりユーザに報知される（ステップＳ１０５）。
【００４５】
その後、ユーザが、報知された質量値の分銅を秤量皿１１上に載置することにより、当該分銅の計量値に基づいて感度係数を校正するための処理が行われる（ステップＳ１０６）。複数の分銅の質量値が報知された場合には、ユーザは、各質量値に対応する分銅を順次に秤量皿１１上に載置することにより、各分銅の計量値に基づいて感度係数を校正することができる。
【００４６】
図３は、図１の電子天秤において感度係数を校正する際の態様について説明するための図である。一例として、電子天秤において計量可能な最大の質量値（最大秤量点）が６２０ｇである場合、まず、最大秤量点に近い質量値（例えば５００ｇ）の分銅を用いて計量が行われる。
【００４７】
具体的には、５００ｇの分銅（カウント値Ｗｒｅｆ１＝５００００）を計量することにより得られた計量値を感度係数で補正することにより、補正後の分銅の質量値Ｆ１を得る。この分銅の質量値Ｆ１は、感度係数が適切な値であれば、５００ｇ（カウント値Ｆ１＝５００００）となるはずであるが、感度係数がずれていたと仮定して、例えばカウント値Ｆ１＝４９９９１であったとする。
【００４８】
また、本実施形態では、計量履歴記憶部３２に記憶されている複数の質量値に基づいて、感度係数を校正する際の分銅の質量値が決定され、その分銅の質量値がユーザに報知されることにより、報知された質量値の分銅を用いて計量が行われる。このとき報知される分銅の質量値は、過去の計量時に頻繁に計量を行っている質量値の範囲として特定された範囲Ｒ内の質量値となる。
【００４９】
例えば、報知された分銅の質量値が２００ｇであった場合には、２００ｇの分銅（カウント値Ｗｒｅｆ２＝２００００）を計量することにより得られた計量値を感度係数で補正することにより、補正後の分銅の質量値Ｆ２を得る。この分銅の質量値Ｆ２は、感度係数が適切な値であれば、２００ｇ（カウント値Ｆ２＝２００００）となるはずであるが、感度係数がずれていたと仮定して、例えばカウント値Ｆ２＝１９９９１であったとする。
【００５０】
さらに、秤量皿上に何も載置されていない状態（無負荷状態）で計量を行うことにより得られた計量値を感度係数で補正することにより、補正後の無負荷状態での質量値Ｚを得る。この無負荷状態の質量値Ｚは、感度係数が適切な値であれば、０ｇ（カウント値Ｚ＝０）となるはずであるが、感度係数がずれていたと仮定して、例えばカウント値Ｚ＝１であったとする。
【００５１】
この場合、感度係数がずれた状態のまま試料の質量値を測定すると、図３に線Ｌ１で示すように、表示値（カウント値）が実際の質量値とは異なる値となってしまう。そこで、このような場合には、２００ｇから５００ｇまでの分銅値の区間Ｒ１と、無負荷状態から２００ｇまでの分銅値の区間Ｒ２とで、それぞれ感度係数Ｋ１，Ｋ２を算出し直すことにより、感度係数を校正することができる。
【００５２】
上記区間Ｒ２については、例えば下記式により感度係数Ｋ２を校正することができる。
Ｋ２＝（Ｆ２−Ｚ）／Ｗｒｅｆ２＝（１９９９１−１）／２００００＝０．９９９５
【００５３】
その後に上記区間Ｒ２内で試料の質量値を測定する際には、校正された感度係数Ｋ２を用いて、下記式により補正後の表示値ＷＧを算出し、表示部４に表示させることができる。これにより、図３に線Ｌ２で示すように、上記区間Ｒ２内で表示値ＷＧを実際の質量値と一致させることができる。
ＷＧ＝（補正前の計量値）／Ｋ２
【００５４】
上記区間Ｒ１については、例えば下記式により感度係数Ｋ１を校正することができる。
Ｋ１＝（Ｆ１−Ｆ２）／（Ｗｒｅｆ１−Ｗｒｅｆ２）
＝（４９９９１−１９９９１）／（５００００−２００００）＝１．００００
【００５５】
その後に上記区間Ｒ１内で試料の質量値を測定する際には、校正された感度係数Ｋ１を用いて、下記式により補正後の表示値ＷＧを算出し、表示部４に表示させることができる。これにより、図３に線Ｌ２で示すように、上記区間Ｒ１内で表示値ＷＧを実際の質量値と一致させることができる。
ＷＧ＝（補正前の計量値）／Ｋ１＋（Ｗｒｅｆ２−Ｆ２）
【００５６】
なお、過去の計量時に頻繁に計量を行っている質量値の範囲として特定された範囲Ｒが複数の場合には、複数の分銅の質量値が報知され、各質量値の分銅を用いて計量が行われることとなる。この場合には、分銅値の区間が３つ以上となり、各区間について感度係数が校正されることとなる。
【００５７】
このように、本実施形態では、分銅値決定部２５により決定された質量値の分銅（上記の例では２００ｇ）の計量値と無負荷状態における計量値との間における感度係数Ｋ２を校正することができる。これにより、ユーザが頻繁に計量を行っている質量値を含む最低限必要な範囲内において、感度係数Ｋ２を適切な値に校正し、試料の質量値を精度よく測定することができる。
【００５８】
また、本実施形態では、分銅値決定部２５により決定された質量値の分銅（上記の例では２００ｇ）の計量値と使用可能な最大質量値の分銅（上記の例では５００ｇ）の計量値との間における感度係数Ｋ１を校正することができる。これにより、ユーザが頻繁に計量を行っている質量値を超えて測定が行われる場合であっても、適切な値に校正された感度係数Ｋ１を用いて、試料の質量値を精度よく測定することができる。
【００５９】
図４は、本考案の別の実施形態に係る電子天秤の電気的構成を示したブロック図である。この電子天秤では、制御部２が安定検知部２７として機能し、当該安定検知部２７による検知結果に基づいて、計量履歴記憶部３２に試料の質量値が記憶されるようになっている。この点を除けば、他の構成については上記実施形態と同様であるため、同様の構成については、図に同一符号を付して詳細な説明を省略する。
【００６０】
安定検知部２７は、試料の計量中に、質量値算出部２２により算出される試料の質量値の変動が所定範囲内に安定したことを検知するためのものである。すなわち、一定時間内における試料の質量値の変動幅が所定の閾値を超えなければ、安定検知部２７により安定したと検知され、そのときの質量値が出力処理部２４により計量履歴記憶部３２に記憶されるようになっている。
【００６１】
これにより、計量履歴記憶部３２には、試料の計量中に安定検知部２７により安定したと検知される度に質量値が記憶され、複数の質量値が過去の計量時の履歴として記憶されることとなる。計量履歴記憶部３２には、最新の所定数の質量値が記憶され、古いデータから順に消去されるようになっていてもよい。
【００６２】
図５は、図４の電子天秤において感度係数を校正するための制御部２による処理の一例を示したフローチャートである。本実施形態に係る電子天秤を用いて試料の計量が行われる場合には、安定検知部２７により試料の質量値の変動が安定したと検知される度に（ステップＳ２０１でＹｅｓ）、計量された試料の質量値が計量履歴記憶部３２に記憶される（ステップＳ２０２）。
【００６３】
そして、日常点検において定期的に感度係数を校正する場合には（ステップＳ２０３でＹｅｓ）、計量履歴記憶部３２に記憶されている複数の質量値に基づいて、感度係数を校正する際の分銅の質量値が決定され（ステップＳ２０４）、その分銅の質量値が表示部４に表示されることによりユーザに報知される（ステップＳ２０５）。
【００６４】
その後、ユーザが、報知された質量値の分銅を秤量皿１１上に載置することにより、当該分銅の計量値に基づいて感度係数を校正するための処理が行われる（ステップＳ２０６）。複数の分銅の質量値が報知された場合には、ユーザは、各質量値に対応する分銅を順次に秤量皿１１上に載置することにより、各分銅の計量値に基づいて感度係数を校正することができる。
【００６５】
本実施形態では、試料の質量値の変動が安定したと検知される度に、そのときの質量値を計量履歴記憶部３２に記憶しておき、それらの質量値に基づいて、感度係数を校正する際の分銅の質量値を決定することができる。この場合、ユーザが特別な操作を行うことなく自動で決定される質量値の分銅を用いて、感度係数を校正することができるため、より適切な質量値の分銅を用いて確実に感度係数を校正することができる。
【００６６】
以上の実施形態では、ユーザが、表示部４に表示された質量値（分銅値）の分銅を秤量皿１１上に載置して計量することにより、感度係数を校正する場合について説明した。しかし、ユーザは、表示部４に表示された分銅値に従う必要はなく、表示部４に表示された分銅値とは異なる質量値の分銅を秤量皿１１上に載置して計量することにより、感度係数を校正してもよい。
【００６７】
また、分銅値決定部２５により決定された分銅値をユーザに報知する際には、その分銅値が表示部４に表示されるような構成に限らず、例えば音声などの他の態様によりユーザに報知するような構成であってもよい。
【符号の説明】
【００６８】
１    荷重検知部
２    制御部
３    記憶部
４    表示部
５    操作部
６    プリンタ
１１    秤量皿
２１    計量部
２２    質量値算出部
２３    感度係数校正部
２４    出力処理部
２５    分銅値決定部
２６    分銅値報知部
２７    安定検知部
３１    感度係数記憶部
３２    計量履歴記憶部
３３    分銅値記憶部
５１    プリント指示部
【図１】
0003187757.tif 000003
【図２】
0003187757.tif 000004
【図３】
0003187757.tif 000005
【図４】
0003187757.tif 000006
【図５】
0003187757.tif 000007
【図６】
0003187757.tif 000008